(57)【要約】【課題】非接触給電装置を的確に評価する。【解決手段】非接触給電装置についての被測定量を測定する測定部を備え、非接触給電装置における供給側および受電側の各電極の少なくとも一方を１つの平面内で移動させて平面における各電極の相対的な測定位置を変更させる移動機構と、被測定量に基づいて特定される給電効率に関する非接触給電装置についての評価用情報を表示部７に表示させる処理部とを備え、測定部は、平面内での互いに異なる複数の測定位置における被測定量を測定し、処理部は、平面内での互いに異なる複数の測定位置における各給電効率を識別可能な表示形態で示す評価用情報画像Ｇａを評価用情報として表示部７に表示させる。【選択図】図６
2018004285.tif 000002
【特許請求の範囲】
【請求項１】
非接触給電装置についての被測定量を測定する測定部を備えた測定装置であって、
前記非接触給電装置における供給側および受電側の各電極の少なくとも一方を１つの平面内で移動させて当該平面における当該各電極の相対的な測定位置を変更させる移動機構と、前記被測定量に基づいて特定される給電効率に関する前記非接触給電装置についての評価用情報を表示部に表示させる処理部とを備え、
前記測定部は、前記平面内での互いに異なる複数の前記測定位置における前記被測定量を測定し、
前記処理部は、前記平面内での前記互いに異なる複数の測定位置における各前記給電効率を識別可能な表示形態で示す情報を前記評価用情報として前記表示部に表示させる測定装置。
【請求項２】
前記処理部は、予め設定された複数の効率範囲のいずれに前記給電効率が属するかによって前記各測定位置を分類し、当該分類した測定位置が存在する前記効率範囲毎の前記平面における各領域を特定し、当該各領域の表示形態を互いに異ならせた画像を前記評価用情報として前記表示部に表示させる請求項１記載の測定装置。
【請求項３】
前記移動機構は、前記各電極の少なくとも一方を前記１つの平面と平行な１または複数の他の平面内で移動させて当該他の平面内における当該各電極の相対的な測定位置を変更させ、
前記前記測定部は、前記他の平面内での互いに異なる複数の前記測定位置における前記被測定量を測定し、
前記処理部は、前記１つの平面内についての前記評価用情報を前記表示部に表示させると共に、前記他の平行面内での前記互いに異なる複数の測定位置における各前記給電効率を識別可能な表示形態で示す情報を前記評価用情報として当該表示部に表示させる請求項１または２記載の測定装置。
【請求項４】
前記処理部は、前記被測定量の測定時における移動対象の前記電極の前記平面についての移動面積と、前記給電効率が予め決められた条件を満たす前記測定位置が存在する前記平面についての領域の面積との割合を示す情報を前記評価用情報として前記表示部に表示させる請求項１から３のいずれかに記載の測定装置。
【発明の詳細な説明】
【技術分野】
【０００１】
本発明は、非接触給電装置についての被測定量を測定する測定装置に関するものである。
【背景技術】
【０００２】
この種の測定装置として、下記非特許文献１に開示された試験装置が知られている。この試験装置は、非接触給電装置の評価をするための試験装置であって、非接触給電装置における供給側の第１コイル（Primary Coil）と受電側の第２コイル（Secondary Coil）とを対向させた状態で、第１コイルから電力を供給すると共に第２コイルで受電した電力を測定可能に構成されている。この場合、各コイルの相対的位置を変更して、相対的位置毎に上記した電力を測定することで、非接触給電装置の効率等を評価する。このため、この試験装置では、位置決め機構を備え、各コイルの相対的位置を変更することが可能となっている。具体的には、この試験装置の位置決め機構では、第１コイルを支持する支持部がＸＹ方向に移動可能に構成されると共に、ＸＹ平面に垂直な軸を中心とする回転方向（θ方向）に回転可能に構成されている。また、第２コイルを支持する支持部がＺ方向に移動可能に構成されている。
【先行技術文献】
【非特許文献】
【０００３】
【非特許文献１】INL Efficiency and Security Testing ofEVSE, DC Fast Chargers, and Wireless Charging Systems［平成２８年６月１３日検索］、インターネット＜http://energy.gov/sites/prod/files/2014/03/f13/vss096_francfort_2013_o.pdf＞
【発明の概要】
【発明が解決しようとする課題】
【０００４】
ところが、上記した従来の試験装置には、改善すべき以下の課題がある。すなわち、この試験装置では、相対的位置毎に電力を測定し、その測定位置に基づいて非接触給電装置の効率等を評価する。ここで、この種の評価をする際には、第１コイルおよび第２コイルの位置関係がどのようなときに給電効率が高いかを把握する必要がある。しかしながら、この試験装置では、第１コイルおよび第２コイルの位置関係と給電効率とを関連づけて表示することができないため、非接触給電装置の的確な評価を行うことが困難となっており、この点の改善が望まれている。
【０００５】
本発明は、かかる改善すべき課題に鑑みてなされたものであり、非接触給電装置を的確に評価し得る測定装置を提供することを主目的とする。
【課題を解決するための手段】
【０００６】
上記目的を達成すべく請求項１記載の測定装置は、非接触給電装置についての被測定量を測定する測定部を備えた測定装置であって、前記非接触給電装置における供給側および受電側の各電極の少なくとも一方を１つの平面内で移動させて当該平面における当該各電極の相対的な測定位置を変更させる移動機構と、前記被測定量に基づいて特定される給電効率に関する前記非接触給電装置についての評価用情報を表示部に表示させる処理部とを備え、前記測定部は、前記平面内での互いに異なる複数の前記測定位置における前記被測定量を測定し、前記処理部は、前記平面内での前記互いに異なる複数の測定位置における各前記給電効率を識別可能な表示形態で示す情報を前記評価用情報として前記表示部に表示させる。
【０００７】
また、請求項２記載の測定装置は、請求項１記載の測定装置において、前記処理部は、予め設定された複数の効率範囲のいずれに前記給電効率が属するかによって前記各測定位置を分類し、当該分類した測定位置が存在する前記効率範囲毎の前記平面における各領域を特定し、当該各領域の表示形態を互いに異ならせた画像を前記評価用情報として前記表示部に表示させる。
【０００８】
また、請求項３記載の測定装置は、請求項１または２記載の測定装置において、前記移動機構は、前記各電極の少なくとも一方を前記１つの平面と平行な１または複数の他の平面内で移動させて当該他の平面内における当該各電極の相対的な測定位置を変更させ、前記前記測定部は、前記他の平面内での互いに異なる複数の前記測定位置における前記被測定量を測定し、前記処理部は、前記１つの平面内についての前記評価用情報を前記表示部に表示させると共に、前記他の平行面内での前記互いに異なる複数の測定位置における各前記給電効率を識別可能な表示形態で示す情報を前記評価用情報として当該表示部に表示させる。
【０００９】
また、請求項４記載の測定装置は、請求項１から３のいずれかに記載の測定装置において、前記処理部は、前記被測定量の測定時における移動対象の前記電極の前記平面についての移動面積と、前記給電効率が予め決められた条件を満たす前記測定位置が存在する前記平面についての領域の面積との割合を示す情報を前記評価用情報として前記表示部に表示させる。
【発明の効果】
【００１０】
請求項１記載の測定装置によれば、平面内での互いに異なる複数の測定位置における各給電効率を識別可能な表示形態で示す情報を評価用情報として表示部に表示させることにより、この評価用情報を視認することで、供給側の電極と受電側の電極との位置関係がどのようなときに給電効率が高いか（または、低いか）を容易に把握することができる。したがって、この測定装置によれば、非接触給電装置を的確に評価することができる。
【００１１】
また、請求項２記載の測定装置によれば、予め設定された複数の効率範囲のいずれに給電効率が属するかによって各測定位置を分類し、分類した測定位置が存在する効率範囲毎の平面における各領域を特定し、各領域の表示形態を互いに異ならせた画像を評価用情報として表示部に表示させることにより、この画像を視認することで、供給側の電極と受電側の電極との位置関係がどのようなときに給電効率が高いか（または、低いか）を視覚的に一目で把握することができるため、非接触給電装置の評価を容易に行うことができる。
【００１２】
また、請求項３記載の測定装置によれば、１つの平面と平行な１または複数の他の平面内（１つの平面に直交する方向の位置が異なる１または複数の平面内）での互いに異なる複数の測定位置における各給電効率を識別可能な表示形態で示す情報を価用情報として表示することにより、供給側の電極と受電側の電極との位置関係がどのようなときに給電効率が高いか（または、低いか）を１つの平面に直交する方向の位置が異なる複数の平面について容易に把握することができる。したがって、この測定装置によれば、非接触給電装置をより的確に評価することができる。
【００１３】
また、請求項４記載の測定装置によれば、被測定量の測定時における移動対象の電極の平面についての移動面積と、給電効率が予め決められた条件を満たす測定位置が存在する平面についての領域の面積との割合を示す情報を評価用情報として表示部に表示させることにより、所望の給電効率を確保できる各電極の相対的な位置の範囲をこの情報に基づいて容易に把握することができる。
【図面の簡単な説明】
【００１４】
【図１】測定装置１の構成を示す構成図である。
【図２】保持装置２の斜視図である。
【図３】保持装置２の正面図である。
【図４】設定画面Ｐｓの表示画面図である。
【図５】２次元画像Ｇｂを含む評価用情報画像Ｇａの表示画面図である。
【図６】３次元画像Ｇｃを含む評価用情報画像Ｇａの表示画面図である。
【発明を実施するための形態】
【００１５】
以下、測定装置の実施の形態について、添付図面を参照して説明する。
【００１６】
最初に、測定装置の一例としての図１に示す測定装置１の構成について説明する。測定装置１は、同図に示すように、保持装置２、出力部３、測定部４、操作部５、記憶部６、表示部７および処理部８を備え、非接触給電装置（ワイヤレス給電装置）についての被測定量（後述する受電電力）を測定すると共に、受電電力に基づいて特定される給電効率（供給電力に対する受電電力の比率）に関する非接触給電装置の評価用の情報を表示可能に構成されている。
【００１７】
保持装置２は、図２，３に示すように、供給側保持部２１、受電側保持部２２、移動機構２３およびフレーム２４を備えて構成されている。
【００１８】
供給側保持部２１は、図２，３に示すように、非接触給電装置の供給側電極１０１を載置可能なテーブルと、必要に応じてテーブルに載置した供給側電極１０１を固定する図外の固定具とを備えて、供給側電極１０１を保持可能に構成されている。また、供給側保持部２１は、移動機構２３における後述する回転テーブル３２の上に固定されて、移動機構２３によって移動させられる。なお、図２では、供給側保持部２１を回転テーブル３２から上方に離間させた状態で図示している。
【００１９】
受電側保持部２２は、図２，３に示すように、非接触給電装置の受電側電極１０２（以下、供給側電極１０１と受電側電極１０２とを合わせて「電極１０１，１０２」ともいう）を下面に配置するボードと、必要に応じてボードに配置した受電側電極１０２を固定する図外の固定具とを備えて、受電側電極１０２を保持可能に構成されている。また、受電側保持部２２は、フレーム２４に固定されている。
【００２０】
移動機構２３は、図２に示すように、Ｘ方向、Ｙ方向およびＺ方向にそれぞれ移動可能な３つの移動テーブル３１ｘ，３１ｙ，３１ｚ（以下、区別しないときには「移動テーブル３１」ともいう）と、θ方向に移動（回動）可能に構成されて供給側保持部２１が固定される回転テーブル３２とを備えて構成されている。この移動機構２３は、処理部８の制御に従い、供給側保持部２１を図２に示すＸＹ方向に移動（１つの平面内で移動）させて、ＸＹ方向に沿った供給側電極１０１の測定位置（電極１０１，１０２の相対的な測定位置）を変更させると共に、供給側保持部２１を同図に示すＺ方向（１つの平面に直交する方向）に移動させて、Ｚ方向に沿った電極１０１の測定位置（電極１０１，１０２の相対的な測定位置）を変更させる。また、移動機構２３は、処理部８の制御に従い、供給側保持部２１を同図に示すθ方向（Ｚ方向の軸を中心とする回動方向）に回動させて受電側電極１０２に対する供給側電極１０１の相対的な姿勢を変更させる。
【００２１】
出力部３は、処理部８の制御に従い、供給側電極１０１を介して供給する電力を出力する。
【００２２】
測定部４は、処理部８の制御に従い、供給側電極１０１を介して電力（供給電力）が供給されているときに受電側電極１０２で受電される被測定量としての受電電力を測定する。
【００２３】
操作部５は、例えば、キーボートやポインティングデバイスを備えて構成され、測定や表示に関する各種の操作を行う際に用いられる。具体的には、操作部５は、測定開始の指示操作や測定終了の指示操作を行う際に用いられる。また、操作部５は、保持装置２の供給側保持部２１によって保持されている供給側電極１０１を移動させる移動範囲や供給側電極１０１の回動量等の設定値を設定する操作、および表示部７に表示させる後述する評価用情報の種類を指定する操作を行う際に用いられる。
【００２４】
記憶部６は、処理部８の制御に従い、操作部５を介して設定された設定値を示す設定値データＤｓを記憶する。また、記憶部６は、処理部８の制御に従い、測定部４によって測定された受電電力の測定値を記憶する。
【００２５】
表示部７は、処理部８の制御に従い、設定値を設定する際に用いる設定画面Ｐｓ（図４参照）や、供給電力に基づいて特定される給電効率に関する情報であって、非接触給電装置の評価に用いる情報（以下、「評価用情報」ともいう）を表示する。
【００２６】
処理部８は、操作部５に対する操作に従って測定装置１を構成する各構成要素を制御する。具体的には、処理部８は、移動機構２３による供給側保持部２１の移動や回動を制御する。また、処理部８は、測定部４を制御して被測定量としての受電電力を測定させる。また、処理部８は、測定部４によって測定された受電電力と、受電電力の測定時に供給側電極１０１を介して供給された供給電力とに基づいて非接触給電装置の給電効率（供給電力に対する受電電力の比率）を特定する。また、処理部８は、評価用情報を表示部７に表示させる表示処理を実行する。
【００２７】
次に、測定装置１の使用方法について図面を参照して説明する。
【００２８】
この測定装置１は、例えば、電気製品のバッテリーの充電に使用される非接触給電装置についての被測定量を測定して、その非接触給電装置の評価を行う際に使用することができる。このような使用形態では、まず、図３に示すように、評価対象の非接触給電装置の供給側電極１０１を保持装置２の供給側保持部２１の上に載置して図外の固定具で固定することにより、供給側電極１０１を供給側保持部２１に保持させる。次いで、非接触給電装置の受電側電極１０２を受電側保持部２２の下面に配置して図外の固定具で固定することにより、受電側電極１０２を受電側保持部２２に保持させる。
【００２９】
続いて、操作部５を操作して各種の設定を行う。まず、測定装置１に測定させる被測定量として、受電電力を指定する。この場合、この測定装置１では、受電電力の測定において、ＸＹＺ方向の移動範囲と各方向における移動間隔とを指定すると共に、θ方向の回動範囲と回動間隔（回動角度の間隔）とを指定して、指定した移動範囲で指定した移動間隔で供給側電極１０１を移動させると共に指定した回動範囲で指定した回動間隔で供給側電極１０１を回動させて、受電側電極１０２に対する供給側電極１０１の相対的な測定位置や姿勢を自動的に変更させつつ各測定位置および姿勢毎に給電効率を連続測定させることが可能となっている。
【００３０】
この連続測定を実行させるときには、図４に示すように、操作部５を操作して設定画面Ｐｓを表示させる。次いで、設定画面Ｐｓ内の各項目に所望の数値を入力して供給側保持部２１（供給側電極１０１）の移動範囲や回動量を設定する。この場合、同図に示すように、ＸＹＺ方向の移動開始位置の座標、および移動の終了位置の座標を入力してＸＹＺ方向の移動範囲を設定すると共に、移動間隔を入力する。また、θ方向に供給側電極１０１を回動させるときには、回動の開始角度、および回動の終了角度を入力して回動範囲を設定すると共に、回動間隔を入力する。なお、この例では、受電側電極１０２に対する供給側電極１０１の姿勢を一定に維持して、供給側電極１０１をＸＹＺ方向にのみ移動させるものとする。このため、移動条件入力画面における回動の開始角度および終了角度、並びに回動間隔の入力欄は、未入力の状態とする。続いて、設定が終了したときには、処理部８は入力した設定値を示す設定値データＤｓを記憶部６に記憶させる。
【００３１】
次いで、操作部５を操作して、測定開始の指示操作を行う。これに応じて、処理部８が、出力部３を制御して、電力の出力を開始させる。続いて、処理部８は、記憶部６から設定値データＤｓを読み出して、設定値データＤｓに基づいて最初の測定位置（移動開始位置）を特定する。次いで、処理部８は、保持装置２の移動機構２３を制御して、供給側保持部２１に支持されている供給側電極１０１が最初の測定位置に位置するように供給側保持部２１を移動させる。
【００３２】
続いて、処理部８は、測定部４を制御して、供給側電極１０１からの供給電力によって受電側電極１０２で受電される受電電力を測定させる。また、処理部８は、測定された受電電力の測定値を記憶部６に記憶させる。次いで、処理部８は、設定値データＤｓに基づいて次の測定位置を特定し、移動機構２３を制御して供給側電極１０１が次の測定位置に位置するように供給側保持部２１を移動させる。続いて、処理部８は、測定部４を制御して受電電力を測定させ、測定された受電電力の測定値を記憶部６に記憶させる。
【００３３】
以下、処理部８は、移動機構２３および測定部４を制御して、設定された移動範囲内において設定された移動間隔で供給側保持部２１（供給側電極１０１）の測定位置を順次変更させ、各測定位置において受電電力を測定させると共に、測定された受電電力の測定値を記憶部６に記憶させる。この場合、測定位置を変更する方法としては、測定が終了した測定位置に最も近い測定位置をＸＹＺ方向のいずれの方向であるかに拘わらず次の測定位置とする方法を採用することもできるし、Ｚ方向の座標を一定にした状態でＸＹ方向の全ての測定位置を変更する工程を、Ｚ方向の座標を変更しつつ順次行う方法を採用することもできる。
【００３４】
次いで、設定値データＤｓに基づいて特定される全ての位置における受電電力の測定が終了したときには、処理部８は、測定が終了した旨を表示部７に表示させる。続いて、操作部５を操作して、測定終了の指示操作を行う。これに応じて、処理部８は、出力部３を制御して、電力の出力を停止させる。
【００３５】
一方、この測定装置１では、非接触給電装置の性能を評価するための各種の評価用情報を表示部７に表示させることが可能となっている。例えば、ＸＹ方向において互いに異なる複数の測定位置における各給電効率を識別可能な表示形態で示す情報を含む評価用情報画像Ｇａ（図５参照）を評価用情報として表示させることが可能となっている。この場合、給電効率が予め設定された（後述するように、操作部５の操作によって予め設定した）複数の効率範囲のいずれに属するかによって各測定位置を分類し、各測定位置が存在する効率範囲毎のＸＹ方向の各領域を指定されたＺ方向の座標について特定し、各領域の表示形態（例えば、同図に示すような表示パターン）を互いに異ならせた画像（例えば、図５に示す２次元画像Ｇｂ）を評価用情報画像Ｇａに含ませることができる。
【００３６】
また、上記した２次元画像ＧｂをＺ方向に並べた画像（例えば、図６に示す３次元画像Ｇｃ）を評価用情報画像Ｇａに含ませることもできる。さらに、供給側電極１０１（移動対象の電極）のＸＹ方向における測定時の移動範囲の面積と、給電効率が予め決められた条件（例えば、給電効率が上記した効率範囲に属するとの条件）を満たす測定位置が存在するＸＹ方向の領域の面積との面積割合Ｒａを示す文字情報Ｃｉ２（図５，６参照）を評価用情報画像Ｇａに含ませることもできる。なお、文字情報Ｃｉ２に代えて、例えば、面積割合Ｒａの大小に応じて色や形状の異なるマークを評価用情報画像Ｇａに含ませることもできる。
【００３７】
上記した各評価用情報のうちの、例えば、２次元画像Ｇｂと面積割合Ｒａを示す文字情報Ｃｉ２とを含む評価用情報画像Ｇａを表示させる際には、操作部５を操作して、Ｚ方向の座標を指定する。次いで、操作部５を操作して、上記した複数の効率範囲を設定する。この場合、図５に示すように、一例として、０％以上２０％未満、２０％以上４０％未満、４０％以上６０％未満、６０％以上８０％未満、および８０％以上１００％未満の５つの効率範囲を規定したものとする。
【００３８】
次いで、操作部５を操作して表示処理の実行を指示し、これに応じて、処理部８が表示処理を実行する。この表示処理では、処理部８は、各測定位置における受電電力の測定値および設定値データＤｓを記憶部６から読み出し、次いで、受電電力の測定の際に供給側電極１０１を介して供給していた供給電力（この例では、供給電力が既知であるものとする）で受電電力を除算して、供給電力に対する受電電力の比率である給電効率を各測定位置毎に特定する。続いて、処理部８は、給電効率が予め設定された複数の効率範囲のいずれに属するかによって各測定位置を分類する。
【００３９】
次いで、処理部８は、分類した各測定位置が存在する効率範囲毎のＸＹ方向の各領域を特定する。続いて、処理部８は、各領域の表示形態を異ならせた２次元画像Ｇｂ（図５参照）を生成する。この場合、同図では、異なる表示形態の一例として、各領域に異なる種類のハッチングを付しているが、各領域に異なる色を付したり、各領域の輪郭を異なる種類の線で描画したりする表示形態を採用することもできる。また、処理部８は、各領域の表示形態（この例では、ハッチングの種類）に対応する効率範囲の上下限値を示す文字情報Ｃｉ１（同図参照）を生成する。
【００４０】
次いで、処理部８は、供給側電極１０１（移動対象の電極）のＸＹ方向における移動範囲の面積を設定値データＤｓに基づいて特定する。続いて、上記した各領域のＸＹ方向の面積を特定する。次いで、処理部８は、移動範囲の面積に対する各領域の面積の面積割合Ｒａを特定し、その面積割合Ｒａ示す文字情報Ｃｉ２（図５参照）を生成する。続いて、処理部８は、図５に示すように、上記した２次元画像Ｇｂおよび文字情報Ｃｉ１，Ｃｉ２を含んだ評価用情報画像Ｇａを表示部７に表示せる。
【００４１】
この場合、評価用情報画像Ｇａには、ＸＹ方向において互いに異なる複数の測定位置における各給電効率を識別可能な表示形態で示す２次元画像Ｇｂが含まれている。このため、この評価用情報画像Ｇａを視認することで、供給側電極１０１と受電側電極１０２との位置関係がどのようなときに給電効率が高いか（または、低いか）を容易に把握することができる。したがって、この測定装置１では、非接触給電装置を的確に評価することが可能となっている。
【００４２】
また、給電効率が予め設定された複数の効率範囲のいずれに属するかによって各測定位置を分類し、各測定位置が存在する効率範囲毎のＸＹ方向の各領域を特定し、各領域の表示形態を互いに異ならせた画像で２次元画像Ｇｂが構成されている。このため、この測定装置１では、この２次元画像Ｇｂを視認することで、供給側電極１０１と受電側電極１０２との位置関係がどのようなときに給電効率が高いか（または、低いか）を視覚的に一目で把握することができるため、非接触給電装置の評価を容易に行うことが可能となっている。
【００４３】
また、ＸＹ方向における供給側電極１０１の移動範囲の面積と、給電効率が効率範囲に属するとの条件（予め決められた条件）を満たす測定位置が存在するＸＹ方向の領域の面積との面積割合Ｒａを示す文字情報Ｃｉ２が評価用情報画像Ｇａに含まている。このため、この測定装置１では、所望の給電効率を確保できる電極１０１，１０２の相対的な位置関係の範囲をこの文字情報Ｃｉ２および２次元画像Ｇｂに基づいて容易に把握することが可能となっている。
【００４４】
一方、操作部５を操作して、例えば、３次元画像Ｇｃと面積割合Ｒａを示す文字情報Ｃｉ２とを含む評価用情報画像Ｇａの表示を指示したときには、処理部８は、表示処理において、複数の２次元画像ＧｂをＺ方向に並べた３次元画像Ｇｃ（図６参照）を生成する。また、処理部８は、表示処理において、３次元画像Ｇｃを構成する各２次元画像Ｇｂについての面積割合Ｒａを２次元画像Ｇｂ毎に特定し、その面積割合Ｒａを示す文字情報Ｃｉ２（同図参照）を生成する。次いで、処理部８は、同図に示すように、上記した３次元画像Ｇｃおよび文字情報Ｃｉ１，Ｃｉ２を含んだ評価用情報画像Ｇａを表示部７に表示せる。
【００４５】
この場合、３次元画像Ｇｃは、複数の２次元画像ＧｂをＺ方向に並べて構成されている。つまり、この３次元画像Ｇｃは、１つの平面についての２次元画像Ｇｂと、その１つの平面に直交するＺ方向（１つの平面に直交する方向）の位置が異なる複数の他の平面（１または複数の他の平面の一例）内での互いに異なる複数の測定位置における各給電効率を識別可能な表示形態で示すように構成されている。このため、この測定装置１では、供給側電極１０１と受電側電極１０２との位置関係がどのようなときに給電効率が高いか（または、低いか）をＺ方向の位置が異なる複数の平面について容易に把握することができる。したがって、この測定装置１では、非接触給電装置をより的確に評価することが可能となっている。
【００４６】
このように、この測定装置１によれば、１つの平面内での互いに異なる複数の測定位置における各給電効率を識別可能な表示形態で示す情報（評価用情報画像Ｇａ）を評価用情報として表示部に表示させることにより、この評価用情報画像Ｇａを視認することで、供給側電極１０１と受電側電極１０２との位置関係がどのようなときに給電効率が高いか（または、低いか）を容易に把握することができる。したがって、この測定装置１によれば、非接触給電装置を的確に評価することができる。
【００４７】
また、この測定装置１によれば、給電効率が予め設定された複数の効率範囲のいずれに属するかによって各測定位置を分類し、各測定位置が存在する効率範囲毎のＸＹ方向の各領域を特定し、各領域の表示形態を互いに異ならせた２次元画像Ｇｂを評価用情報として表示させることにより、この２次元画像Ｇｂを視認することで、供給側電極１０１と受電側電極１０２との位置関係がどのようなときに給電効率が高いか（または、低いか）を視覚的に一目で把握することができるため、非接触給電装置の評価を容易に行うことができる。
【００４８】
また、この測定装置１によれば、Ｚ方向（１つの平面に直交する方向）の位置が異なる複数の平面内での互いに異なる複数の測定位置における各給電効率を識別可能な表示形態で示す情報を価用情報として表示することにより、供給側電極１０１と受電側電極１０２との位置関係がどのようなときに給電効率が高いか（または、低いか）をＺ方向の位置が異なる複数の平面について容易に把握することができる。したがって、この測定装置１によれば、非接触給電装置をより的確に評価することができる。
【００４９】
また、この測定装置１によれば、ＸＹ方向における供給側電極１０１の移動範囲の面積と、給電効率が効率範囲に属するとの条件（予め決められた条件）を満たす測定位置が存在するＸＹ方向の領域の面積との面積割合Ｒａを示す文字情報Ｃｉ２を評価用情報として表示させることにより、所望の給電効率を確保できる電極１０１，１０２の相対的な位置の範囲をこの文字情報Ｃｉ２に基づいて容易に把握することができる。
【００５０】
なお、測定装置は、上記の構成に限定されない。例えば、移動範囲と移動間隔とを設定することによって複数の測定位置を自動的に変更させつつ各測定位置毎に給電効率を連続測定させる例について上記したが、測定位置（ＸＹＺ座標）を１つずつ指定したり、指定した各測定位置毎に受電電力の測定を指示する構成を採用することもできる。
【００５１】
また、非接触給電装置の供給側電極１０１を保持する供給側保持部２１を移動機構２３が移動させる構成例について上記したが、非接触給電装置の受電側電極１０２を保持する受電側保持部２２を移動機構２３が移動させる構成を採用することもできる。また、供給側電極１０１を保持する供給側保持部２１、および受電側電極１０２を保持する受電側保持部２２の双方を移動機構２３が移動させる構成を採用することもできる。
【００５２】
また、電気製品のバッテリーの充電に使用される非接触給電装置についての被測定量を測定して評価用情報を表示する例について上記したが、評価対象の非接触給電装置は、これに限定されない。例えば、電気自動車のバッテリーを充電するのに用いられる非接触給電装置を評価対象とすることもできる。
【００５３】
また、上記の例では、受電側電極１０２に対する供給側電極１０１の姿勢を一定に維持して（供給側電極１０１をθ方向に回動させることなく）、供給側電極１０１をＸＹＺ方向に移動させつつ被測定量を測定する例について上記したが、ＸＹＺ方向の位置を一定に維持して供給側電極１０１をθ方向に回動させつつ被測定量を測定し、各測定位置（回動位置）における給電効率を識別可能な表示形態で示す情報を評価用情報として表示させることもできる。
【００５４】
また、θ方向への回動に加えてＸ方向、Ｙ方向およびＺ方向のうちの任意の１〜３方向に供給側電極１０１を移動させつつ被測定量を測定し、各測定位置（回動位置）における給電効率を識別可能な表示形態で示す情報を評価用情報として表示させることもできる。
【００５５】
さらに、θ方向に加えて、φ方向（Ｘ方向の軸を中心とする回動方向）およびψ方向（Ｙ方向の軸を中心とする回動方向）に供給側電極１０１を回動可能な移動機構を採用し、Ｘ方向、Ｙ方向、Ｚ方向、θ方向、φ方向およびψ方向のうちの任意の１〜６方向に供給側電極１０１を移動（回動）させつつ被測定量を測定し、各測定位置（回動位置）における給電効率を識別可能な表示形態で示す情報を評価用情報として表示させることもできる。
【００５６】
また、表示部７を備え、その表示部７に評価用情報を表示させる構成例について上記したが、外部の表示部に評価用情報を表示させる構成を採用することもできる。
【符号の説明】
【００５７】
１  測定装置
４  測定部
７  表示部
８  処理部
２３  移動機構
１０１  供給側電極
１０２  受電側電極
Ｃｉ２  文字情報
Ｇａ  評価用情報画像
Ｇｂ  ２次元画像
Ｇｃ  ３次元画像
Ｒａ  面積割合
【図１】
2018004285.tif 000003
【図２】
2018004285.tif 000004
【図３】
2018004285.tif 000005
【図４】
2018004285.tif 000006
【図５】
2018004285.tif 000007
【図６】
2018004285.tif 000008